(57)【要約】【課題】カードを取出す際に、トレー部も一緒にハウジング部から脱出して瞬断事故が発生することを防止する。【解決手段】面状の底部５１と、底部５１から立ち上がる第１の壁部５３及び第２の壁部５４とによって形成される凹部５６を設け、凹部５６にカード６０を収容可能なトレー部５０と、スライド方向に沿ってトレー部５０をスライド可能に収納するとともに、カード６０の電気的接点と電気的に接続可能な接続端子を有するハウジング部４０と、を備え、トレー部５０は、ハウジング部４０に収納される側の一端部と、スライド方向に沿って一端部とは逆側の他端部とを備え、他端部における凹部５６の第１の幅Ｗ１は、トレー部５０がハウジング部４０に収納された際における接続端子に対応する、一端部における凹部の第２の幅Ｗ２より広い。【選択図】図５
2011142102.tif 000002
【特許請求の範囲】
【請求項１】
底部と、前記底部に設けられた第１の壁部及び第２の壁部とを備え、前記第１の壁部と前記底部と前記第２の壁部で構成される凹部にカードを収容可能なトレー部と、
少なくとも前記第１の壁部の一部と前記第２の壁部の一部とを収納可能なハウジング部と、を備え、
前記カードを前記凹部に収容した場合に、前記第１の壁部の前記ハウジング部に収納可能な部分の少なくとも一部は、前記カードと当接し、前記第１の壁部の前記ハウジング部に収納されない部分の少なくとも一部は、前記カードと離れている、
カードコネクタ。
【請求項２】
底部と、前記底部に設けられた第１の壁部及び第２の壁部とを備え、前記第１の壁部と前記底部と前記第２の壁部で構成される凹部にカードを収容可能なトレー部と、
少なくとも前記第１の壁部の一部と前記第２の壁部の一部とを収納可能なハウジング部と、を備え、
前記カードを前記凹部に収容した場合に、前記第１の壁部の前記ハウジング部に収納されない部分の少なくとも一部と前記カードとの距離は、前記第１の壁部の前記ハウジング部に収納可能な部分の少なくとも一部と前記カードとの距離よりも長い、
カードコネクタ。
【請求項３】
請求項１又は請求項２に記載のカードコネクタであって、
前記カードはＳＩＭカードである、
カードコネクタ。
【請求項４】
請求項１又は請求項２に記載のカードコネクタであって、
第１の壁部及び第２の壁部は、前記トレー部の前記ハウジング部への挿入方向に沿って配置される、
カードコネクタ。
【請求項５】
請求項１又は請求項２に記載のカードコネクタであって、
前記ハウジング部は、少なくとも前記第１の壁部の一部と前記第２の壁部の一部と前記底部の一部とを収納可能である、
カードコネクタ。
【請求項６】
ケースと、前記ケースの内部に備えられた基板と、前記基板の上に配置されたカードコネクタと、備える電子機器であって、
前記カードコネクタは、
底部と、前記底部に設けられた第１の壁部及び第２の壁部とを備え、前記第１の壁部と前記底部と前記第２の壁部で構成される凹部にカードを収容可能なトレー部と、
少なくとも前記第１の壁部の一部と前記第２の壁部の一部とを収納可能なハウジング部と、を備え、
前記カードを前記凹部に収容した場合に、前記第１の壁部の前記ハウジング部に収納可能な部分の少なくとも一部は、前記カードと当接し、前記第１の壁部の前記ハウジング部に収納されない部分の少なくとも一部は、前記カードと離れている、
電子機器。
【請求項７】
ケースと、前記ケースの内部に備えられた基板と、前記基板の上に配置されたカードコネクタと、備える電子機器であって、
前記カードコネクタは、
底部と、前記底部に設けられた第１の壁部及び第２の壁部とを備え、前記第１の壁部と前記底部と前記第２の壁部で構成される凹部にカードを収容可能なトレー部と、
少なくとも前記第１の壁部の一部と前記第２の壁部の一部とを収納可能なハウジング部と、を備え、
前記カードを前記凹部に収容した場合に、前記第１の壁部の前記ハウジング部に収納されない部分の少なくとも一部と前記カードとの距離は、前記第１の壁部の前記ハウジング部に収納可能な部分の少なくとも一部と前記カードとの距離よりも長い、
電子機器。
【請求項８】
請求項６又は請求項７に記載の電子機器であって、
前記カードはＳＩＭカードである、
電子機器。
【請求項９】
請求項６又は請求項７に記載の電子機器であって、
第１の壁部及び第２の壁部は、前記トレー部の前記ハウジング部への挿入方向に沿って配置される、
電子機器。
【請求項１０】
請求項６又は請求項７に記載の電子機器であって、
前記ハウジング部は、少なくとも前記第１の壁部の一部と前記第２の壁部の一部と前記底部の一部とを収納可能である、
電子機器。
【発明の詳細な説明】
【技術分野】
【０００１】
本発明は、ＳＩＭカードの如きカードを収納するカードコネクタ及び電子機器に関する
ものである。
【背景技術】
【０００２】
ＳＩＭ（Subscriber Identity Module Card）カード、ＵＩＭ（User Identify module Card）カードなどに代表されるＩＣカードは、ＧＳＭ（Global System for Mobile Communications）やＷ−ＣＤＭＡ（Wideband Code Division Multiple Access）などの方式の携帯電話機で使われており、ユーザの電話番号や契約している携帯電話事業者の情報などが記録されている。ＩＣカードを携帯電話機に装着することにより、当該カード内に記録されている電話番号でその携帯電話機を利用することができるようになる。  
【０００３】
ＳＩＭカードを装着した携帯電話機として、例えば特許文献１に記載のものが知られている。  
【０００４】
即ち、図１２に示すように、携帯電話機１００は、スライド式の携帯電話機であって、キャビネット１０１の長手方向に電池収容凹部１０２及びカード差込部１０３が互いに隣接するように設けられている。また、電池収容凹部１０２とカード差込部１０３との境界には、規制部材１０４が設けられている。規制部材１０４は、電池収容凹部１０２に電池が収容されているときに、カード差込部１０３に対するＳＩＭカード１１０の抜き差し動作を規制する。  
【０００５】
また、ＳＩＭカードと携帯電話機の本体側との電気的な接続を図るカードコネクタとして、例えば特許文献２に記載のものが知られている。  
【０００６】
即ち、図１３に示すように、カードコネクタ２００は、本体を構成するハウジング２０１と、このハウジング２０１の上部を覆うカバー部材２０２と、ハウジング２０１に挿入され、ハウジング２０１に形成された装着部２０１Ｂに装着されるトレー２０３と、を備えている。  
【０００７】
図１４に示すように、トレー２０３には、奥側位置に第１カード３００Ａ（図１５にクロスハッチングで示す）を位置決め状態に載置可能な第１載置部２０３Ａを有し、手前側位置に第２カード３００Ｂ（図１６にクロスハッチングで示す）を位置決め状態に載置可能な第２載置部２０３Ｂを有する。  
【０００８】
第１載置部２０３Ａには、第１カード３００Ａの位置決めのために、第１載置部２０３Ａの側方に向けて張り出し形成された第１張り出し部２０３Ａ１を有する。また、第２カード３００Ｂの位置決めのために、第２載置部２０３Ｂの側方に向けて張り出し形成された第２張り出し部２０３Ａ２を有する。このトレー２０３によれば、第１カード３００Ａと、この第１カード３００Ａよりも肉厚かつ幅広の第２カード３００Ｂとのいずれかを選択的に装着させることができる。
【先行技術文献】
【特許文献】
【０００９】
【特許文献１】特開２００８−２８９０６３号公報
【特許文献２】特開２００８−１０８６９５号公報
【００１０】
ところで、最近の携帯電話機１００の薄型化や軽量化に伴って、カードコネクタの薄型化や軽量化なども進められている。そのため、トレー２０３についても、図１４に示すように、例えば略ロ字形に中央部を刳り貫いて開口部２０３Ｃを開口させるなど、といった軽量化を図る措置が講じられている。その結果、トレー２０３の剛性が不足して撓みやすくなっている。  
【００１１】
このような事情から、ユーザがトレー２０３を引き出してＳＩＭカード等のカードを指で取出そうとしたとき、トレー２０３がカードの両側面を挟み付けているため、カードとトレー２０３がともに持ち上がり、カードの取り外しが不便となることがある。とりわけ携帯電話機の本体内部とカードとの間の電気的な接続の瞬断を防止するため、カードとトレー２０３の間に隙間が設けられていることは少なく、両者の間に摩擦力が生じやすいため、上述した弊害が生じやすい。
【発明の概要】
【発明が解決しようとする課題】
【００１２】
本発明は、上記したような事態を回避するものであって、カードを取出す際にトレー部もカードに追従して移動することを防止し、カードの取り出しをし易くしたカードコネクタ、及び電子機器を提供することを目的とするものである。
【課題を解決するための手段】
【００１３】
本発明のカードコネクタは、底部と、前記底部に設けられた第１の壁部及び第２の壁部とを備え、前記第１の壁部と前記底部と前記第２の壁部で構成される凹部にカードを収容可能なトレー部と、少なくとも前記第１の壁部の一部と前記第２の壁部の一部とを収納可能なハウジング部と、を備え、前記カードを前記凹部に収容した場合に、前記第１の壁部の前記ハウジング部に収納可能な部分の少なくとも一部は、前記カードと当接し、前記第１の壁部の前記ハウジング部に収納されない部分の少なくとも一部は、前記カードと離れているものである。  
【００１４】
本発明のカードコネクタは、底部と、前記底部に設けられた第１の壁部及び第２の壁部とを備え、前記第１の壁部と前記底部と前記第２の壁部で構成される凹部にカードを収容可能なトレー部と、少なくとも前記第１の壁部の一部と前記第２の壁部の一部とを収納可能なハウジング部と、を備え、前記カードを前記凹部に収容した場合に、前記第１の壁部の前記ハウジング部に収納されない部分の少なくとも一部と前記カードとの距離は、前記第１の壁部の前記ハウジング部に収納可能な部分の少なくとも一部と前記カードとの距離よりも長いものである。
【００１５】
前記カードはＳＩＭカードであってもよい。
【００１６】
第１の壁部及び第２の壁部は、前記トレー部の前記ハウジング部への挿入方向に沿って配置されることが好ましい。
【００１７】
前記ハウジング部は、少なくとも前記第１の壁部の一部と前記第２の壁部の一部と前記底部の一部とを収納可能であることが好ましい。
【００１８】
本発明の電子機器は、ケースと、前記ケースの内部に備えられた基板と、前記基板の上に配置されたカードコネクタと、備える電子機器であって、前記カードコネクタは、底部と、前記底部に設けられた第１の壁部及び第２の壁部とを備え、前記第１の壁部と前記底部と前記第２の壁部で構成される凹部にカードを収容可能なトレー部と、少なくとも前記第１の壁部の一部と前記第２の壁部の一部とを収納可能なハウジング部と、を備え、前記カードを前記凹部に収容した場合に、前記第１の壁部の前記ハウジング部に収納可能な部分の少なくとも一部は、前記カードと当接し、前記第１の壁部の前記ハウジング部に収納されない部分の少なくとも一部は、前記カードと離れているものである。
【００１９】
本発明の電子機器は、ケースと、前記ケースの内部に備えられた基板と、前記基板の上に配置されたカードコネクタと、備える電子機器であって、前記カードコネクタは、底部と、前記底部に設けられた第１の壁部及び第２の壁部とを備え、前記第１の壁部と前記底部と前記第２の壁部で構成される凹部にカードを収容可能なトレー部と、少なくとも前記第１の壁部の一部と前記第２の壁部の一部とを収納可能なハウジング部と、を備え、前記カードを前記凹部に収容した場合に、前記第１の壁部の前記ハウジング部に収納されない部分の少なくとも一部と前記カードとの距離は、前記第１の壁部の前記ハウジング部に収納可能な部分の少なくとも一部と前記カードとの距離よりも長いものである。
【００２０】
前記カードはＳＩＭカードであってもよい。
【００２１】
第１の壁部及び第２の壁部は、前記トレー部の前記ハウジング部への挿入方向に沿って配置されることが好ましい。
【００２２】
前記ハウジング部は、少なくとも前記第１の壁部の一部と前記第２の壁部の一部と前記底部の一部とを収納可能であることが好ましい。
【発明の効果】
【００２３】
本発明によれば、カードをトレー部から剥がして取出す際に、トレー部もカードに追従して移動することを防止し、カードの取り出し操作性を向上させることが可能となる。
【図面の簡単な説明】
【００２４】
【図１】本発明の第１の実施形態に係る携帯電話機の要部を示す斜視図
【図２】（Ａ）は図１の携帯電話機におけるカードコネクタを備えた回路基板を示す斜視図、（Ｂ）はそのカードコネクタを示す斜視図
【図３】図２のカードコネクタの分解斜視図
【図４】図２に示すカードコネクタにおけるハウジング部を示す斜視図
【図５】図２に示すカードコネクタにおけるトレー部を示す斜視図
【図６】図２に示すカードコネクタのトレー部の他端部におけるＳＩＭカードとの間の隙間を示す拡大平面図
【図７】図２に示すカードコネクタの裏面を示す斜視図
【図８】（Ａ）、（Ｂ）はそれぞれ図１の携帯電話機におけるカードコネクタの変形例を示す要部拡大図
【図９】（Ａ）、（Ｂ）はそれぞれ図１のカードコネクタにおけるトレー部をハウジング部に装着した状態及びカードを取り出すためにハウジング部からトレー部を引出した状態を示す斜視図
【図１０】本発明の第２の実施形態に係る携帯電話機におけるカードコネクタの要部拡大図
【図１１】その変形例を示す要部拡大図
【図１２】従来の携帯電話機におけるカードコネクタの設置部分を示す斜視図
【図１３】従来のカードコネクタにおけるハウジング部からトレー部を引出した状態を示す平面図
【図１４】（Ａ）、（Ｂ）はそれぞれそのトレー部の平面図及び側面図
【図１５】（Ａ）、（Ｂ）はそれぞれそのトレー部に第１カードを搭載した状態を示す平面図及び側面図
【図１６】（Ａ）、（Ｂ）はそれぞれそのトレー部に第１カード及び第２カードを搭載した状態を示す平面図及び側面図
【発明を実施するための形態】
【００２５】
以下、本発明の実施形態について、添付図面を参照しながら詳細に説明する。  
【００２６】
（第１の実施形態）
図１乃至図３は、本発明の電子機器の一つである第１の実施形態に係る携帯電話機１０の要部を示すものであり、携帯電話機１０は、ケース１１の内部に設けられた電池室１２に隣接した位置に、サブ基板２２及びカードコネクタ３０を含む回路基板２０（図２参照）を備えている。  
【００２７】
さらにケース１１の内部には、何れも図示しないが、表側ケースに接する筐体（上ケース）と、筐体上に配置された電池（又は電池パック）およびメイン基板と、バッテリーカバーに接する下ケース１１２とが設けられている。また、電話番号を特定するための固有のＩＤ番号が記録されたＳＩＭカード６０が、カードコネクタ３０に挿入されている。  
【００２８】
ケース１１には、電池室１２に対向する部分において、電池とＳＩＭカード６０とを取り出すために、開口した取り出し口１１１が設けられている。取り出し口１１１が設けられている領域以外の内側面には、上述した下ケース１１２が設けられている。  
【００２９】
回路基板２０は、図２（Ａ）に示すように、サブ基板２２と、サブ基板２２上に実装配置されたカードコネクタ３０とを含む。カードコネクタ３０は、ＳＩＭカード６０を収納し、ＳＩＭカード６０と携帯電話機１０との電気的な接続を図るものであって、同図（Ｂ）に示すように、ハウジング部４０と、トレー部５０とを備えている。サブ基板２２上でのカードコネクタ３０の実装方法については、具体的には、カードコネクタ３０がサブ基板２２上に配置され、ハウジング部４０が半田や異方性導電樹脂等を用いてサブ基板２２に固定される。これによりカードコネクタ３０は、サブ基板２２に固定される。  
【００３０】
ハウジング部４０は、所定の絶縁材料によって成形され、図４に示すように、一端（図面では奥側）と他端（図面では引出される手前側）とが開口した略箱状を有している。ハウジング部４０の内部には、トレー部５０が他端から一端に向かった方向、或いは一端から他端に向かった方向（図２（Ｂ）において矢印Ａで示し、以下、この方向を「スライド方向」と呼ぶ。）にスライド可能な状態で収納されている。  
【００３１】
ハウジング部４０には、図４に示すように、底面側の所定位置に、ＳＩＭカード６０に設けられた電極（図示せず）と電気的に接続する接続端子４１が設けられている。また、ハウジング部４０の一面（図４では上面）には、接続端子４１の設置位置に対応する部位に、丸孔４２が穿設されている。  
【００３２】
このような構成のハウジング部４０では、図３に示すように、ＳＩＭカード６０が搭載されたトレー部５０が、ハウジング部４０内部の所定位置まで挿入されてセットされ、ＳＩＭカード６０とトレー部５０とがハウジング部４０内に収容される。これにより、ＳＩＭカード６０と接続端子４１とが電気的に導通され、使用者が携帯電話機１０を使用可能となる。  
【００３３】
トレー部５０は、図５に示すように、所定の絶縁材料によって略板状に形成されており、ＳＩＭカード６０に対向する面状の底部５１と、底部５１とは反対の裏面部５２と、底部５１から立ち上がる第１の壁部５３及び第２の壁部５４と、底部５１と第１の壁部５３及び第２の壁部５４とによって形成され、ＳＩＭカード６０が搭載される断面凹状（図５にＣ−Ｃ線で表す）の凹部５６と、を有する。  
【００３４】
凹部５６は、図６において、他端部側（つまり、引き出される方の端部寄り）での幅（以下、「第１の幅Ｗ１」とよぶ）と、この他端部と反対側の端部であるトレー部５０がハウジング部４０に収納された際に接続端子に対応する一端部側（ハウジング部４０に収納される部分、或いは後述する開口部５５を臨む部分）での幅（以下、「第２の幅Ｗ２」とよぶ）とについて、以下のような関係にある。  
【００３５】
即ち、凹部５６における他端部側での第１の幅Ｗ１（この部分はトレー部５０のハウジング部４０に収納されない）の方が、凹部５６の一端部側での第２の幅Ｗ２よりも寸法的に広くなるように構成されている。  
【００３６】
つまり、本発明では、次式、
Ｗ１＞Ｗ２                                ・・・（１）
の関係が成立している。  
【００３７】
また、トレー部５０は、トレー部５０自身をハウジング部４０に対して所定の挿入位置で止め、それ以上挿入されないようにするため、トレー部５０の第１の壁部５３及び第２の壁部５４の他端部において肉厚に形成された一対のストッパー部Ｓを備える（図３、図５参照）。さらに、各ストッパー部Ｓには、図５に示すように、他端部側（或いは他端部寄り）において、トレー部５０のスライド方向に沿い所定長さＬにわたって、それぞれ、同じ第１の厚みｔ１を有する薄肉部を設けている。  
【００３８】
具体的には、図５及び図６に示すように、第１の壁部５３及び第２の壁部５４の他端部において、この他端部から挿入方向に沿って長さＬにわたり内壁面を一定厚み（近似的に、後述する隙間ｄに略等しい厚み）だけ薄くした、底部側段部Ｓ１，Ｓ２が形成されている。なお、各ストッパー部Ｓにおいて、他端部から挿入方向に沿って長さＬを越える部分は、換言すればストッパー部Ｓの他端部とは反対側の端部である、一端部寄りの部分は、図５に示すように、第１の厚みｔ１より大きな厚みである第２の厚みｔ２を有する。
【００３９】
また、図３に示すように、各ストッパー部Ｓにはハウジング部４０と向かい合う一端面Ｓ３、Ｓ４を有する一方、ハウジング部４０にはストッパー部Ｓと向かい合う一端面４４、４５を有する。ストッパー部Ｓとハウジング部４０は、それらの一端面どうしが当接するように配置されている。この配置により、ストッパー部Ｓは、ハウジング部４０に対するトレー部５０の所定距離を越えた進入動作を防止する。  
【００４０】
なお、トレー部５０の裏面部５２には、図７に示すように、左右それぞれのストッパー部Ｓにおける挿入方向の両端部のうち、奥部寄りの端部、つまり一端寄りの端部に対応する裏面の所定部位に、この部位を幅方向に横切るようにして、裏面側段差部５７が形成されている。この裏面側段差部５７は、トレー部５０がハウジング部４０内に挿入されるときに、ストッパー部Ｓと同様に、所定のストローク以上トレー部５０が挿入されるのを防止する。  
【００４１】
このため、トレー部５０の裏面部５２は、裏面側段差部５７を境界にして一端部側（つまり、凹部側）の厚みが先端部側（引き出される側）の厚みよりも薄く形成されている。このような構成により、トレー部５０がハウジング部４０内に所定の長さだけ挿入されると、裏面側段差部５７がこれに向かい合うハウジング４０側の裏面の先端部（引き出される側）の端面４３に突き当たり、それ以上の挿入動作が阻止される。  
【００４２】
また、トレー部５０は、ＳＩＭカード６０側の電極とハウジング部４０の接続端子４１との電気的接続を確保させるため、スライド方向の一端部（基端部）がＵ字型に切り欠かれた開口部５５を有する。すなわち、開口部５５は、底部５１から裏面部５２までの間を貫通している。これによって、ＳＩＭカード６０が所定位置にセットされたときに、ＳＩＭカード６０の電極がハウジング部４０の接続端子４１に接触・導通可能になる。  
【００４３】
図２、５に示すように、トレー部５０には、スライド方向の他端部（引き出される側の端部）において、第１凸部Ｐ１が設けられている。この第１凸部Ｐ１は、底部５１から裏面部５２に向かう方向に沿って突出している。また、第１凸部Ｐ１は、図２（Ａ）に示すようにサブ基板側の側部Ｐ３がサブ基板２２の端面（先端面）２２１と対向する状態で配置している。更に、第１凸部Ｐ１は、図示外の電池とも対向している。即ち、携帯端末装置１０の厚さ方向において、第１凸部Ｐ１と電池は重なる関係に配置されている。  
【００４４】
ところで、携帯電話機１０を誤って落下させたような場合において、電池がずれてトレー部５０に接触し、トレー部５０を押し上げようとする力が働き、さらにＳＩＭカード６０及びカードコネクタ３０に衝撃が伝わる。本構造下においては、電池から伝わる力を、第１凸部Ｐ１、端面（先端面）２２１を通じて対向するサブ基板２２に分散させることができ、ＳＩＭカード６０及びカードコネクタ３０に伝わる衝撃を軽減させることができる。  
【００４５】
また、トレー部５０は、他端部において、裏面部５２から底部５１に向かう向きに沿って突出する第２凸部Ｐ２を備えている。つまり、第２凸部Ｐ２は第１凸部Ｐ１とは反対の方向に沿って突出する。  
【００４６】
また、本実施形態では、第１凸部Ｐ１と第２凸部Ｐ２の端面を同一面（段差のない滑らかな面）に構成している。即ち、第１凸部Ｐ１と第２凸部Ｐ２は、トレー部５０の先端において同一面を備える。典型的には、この同一面は平面であるが平面に限らず段差のない滑らかな面であれば、どのような面であっても良い。これにより、第１凸部Ｐ１と第２凸部Ｐ２との間に指の爪等を引っかけることが困難となる。従って、電池をセットしたままでトレー部５０を無理に持ち上げて引き出し、ＳＩＭカード６０を取り出すことが難しくなる。  
【００４７】
なお、本実施形態では、トレー部５０が、図５に示すように、両ストッパー部Ｓにおいて、ＳＩＭカード６０が搭載される凹部５６に臨む内壁面側の厚みを、トレー部５０の挿入方向に沿って他端部から一定長Ｌにわたり均等に一定量ｄだけ薄くした薄肉部を有するが、例えば図８に示すような構成であってもよい。  
【００４８】
即ち、図８（Ａ）に示すように、ストッパー部Ｓの薄肉部において、凹部５６と凸部５０Ｐ１、５０Ｐ２が形成された構成であってもよい。なお、凸部の数は、１個でも２個以上でもよい。また、２個以上の場合、凸部の突出量は同じであっても異なっていてもよい。  
【００４９】
さらに、同図（Ｂ）に示すように、ストッパー部Ｓが、薄肉部においてスライド方向に沿ってテーパー形状に形成された斜面ＳＬを有する構成であってもよい。  
【００５０】
また、本実施形態では、左右両側の第１の壁部５３及び第２の壁部５４に薄肉部を形成してあるが、本発明のトレー部では、少なくとも何れか一方側のストッパー部に、例えばこの図８に示す第２の壁部５４側のみに薄肉部を形成してあってもよい。  
【００５１】
ＳＩＭカード６０は、図３に示すように、トレー部５０の底面５１に対向する第１の主面６１と、第１の主面６１に対向する第２の主面６２と、第１の主面及び第２の主面を接続する第１の側面６３及び第２の側面６４とを備える。第１の側面６３はトレー部５０の第１の壁面５３に対向するものであり、第２の側面６４はトレー部５０の第２の壁面５４に対向するものである。  
【００５２】
なお、図３において、ＳＩＭカード６０の第１の主面６１には、電気的接点が設けられている。一方、トレー部５０の底部５１には、ここに搭載されるＳＩＭカード６０の電気的接点の設置部分と対応する部位に、貫通部を構成する開口部５５が設けられている。また、ハウジング部４０には、貫通部を構成する開口部５５を通して電気的接点と電気的に接続可能な接続端子が備えられている。従って、トレー部５０にＳＩＭカード６０を搭載してこのカード６０ごとトレー部５０をハウジング部４０に所定長さまで挿入・収容すると、ＳＩＭカード６０の電気的接点とハウジング部４０の接続端子とが電気的に導通する。  
【００５３】
次に、本実施形態の作用について説明する。  
【００５４】
トレー部５０に収容されているＳＩＭカード６０を取り出そうとするには、まず、図９（Ａ）に示すようにハウジング部４０にトレー部５０が収納された状態から、同図（Ｂ）に示すようにトレー部５０をハウジング部４０からできるだけ大きく引き出す。  
【００５５】
すると、引き出されたトレー部５０とＳＩＭカード６０とについては、他端部側において、ＳＩＭカード６０の第１、第２の側面６３，６４とトレー部５０の第１、第２の壁部５３，５４との間に隙間を有する。このため、ＳＩＭカード６０とトレー部５０の第１、第２の壁部５３，５４との間は密着していない。そこで、ＳＩＭカード６０とともにトレー部５０を一緒に持ち上げることなく、ＳＩＭカード６０だけを容易に取出すことができる。  
【００５６】
このように、本実施形態によれば、図６に示すように、トレー部５０にＳＩＭカード６０を搭載すれば、ＳＩＭカード６０の一端部側の第１の側面６３はトレー部５０の第１の壁部５３に当接し、ＳＩＭカード６０の他端部側の第１の側面６３と第１の壁部５３との間に隙間ｄが形成される。同じく、ＳＩＭカード６０の一端部側の第２の側面６４はトレー部５０の第２の壁部５４に当接し、ＳＩＭカード６０の他端部側の第２の側面６４とトレー部５０の第２の壁部５４との間に隙間ｄが形成される。  
【００５７】
つまり、上記のような関係においては、図６に示すように、トレー部５０の他端部側での凹部５６の第１の幅Ｗ１は、トレー部５０の一端部側での凹部５６の第２の幅Ｗ２より広いと言うことができる。従って、このような構成のトレー部５０により、ＳＩＭカード６０のみをトレー部５０から容易に分離して取出すことができる。  
【００５８】
尚、図６に示すように、一端部側での、ＳＩＭカード６０の第１の側面６３とトレー部５０の第１の壁部５３との間には隙間Δが設けられ、同様に、一端部側での、ＳＩＭカード６０の第２の側面６４とトレー部５０の第２の壁部５４との間には隙間Δが設けられている。ＳＩＭカード６０と携帯電話機１０本体内部との電気的な接続の瞬断を防止するため、ＳＩＭカード６０とトレー部５０との間の接続は強固なほうが望ましい。したがって、この隙間Δはごくわずかな小さいものであり、先述した隙間ｄより小さい。すなわち、他端部側での、ＳＩＭカード６０の第１の側面６３とトレー部５０の第１の壁部５３との間の隙間ｄは、一端部側での、ＳＩＭカード６０の第１の側面６３とトレー部５０の第１の壁部５３との間の隙間Δより大きい。同様に、他端部側での、ＳＩＭカード６０の第２の側面６４とトレー部５０の第２の壁部５４との間の隙間ｄは、一端部側での、ＳＩＭカード６０の第２の側面６４とトレー部５０の第２の壁部５４との間の隙間Δより大きい。
【００５９】
しかしながら、上記隙間Δを設けることは必須ではない、したがって、一端部側の第１の側面６３が第１の壁部５３に当接し、他端部側の第１の側面６３と第１の壁部５３との間に隙間ｄが設けられ、一端部側の第２の側面６４が第２の壁部５４に当接し、他端部側の第２の側面６４と第２の壁部５４との間に隙間ｄが設けられるよう構成されてもよい。
【００６０】
（第２の実施形態）
次に、本発明に係る第２の実施形態について、図１０を用いて説明する。なお、本実施形態において、第１の実施形態と同一部分には同一符号を付して重複説明を避ける。第１の実施形態のＳＩＭカード６０の形状については、一端部側から他端部側に至るまで同一幅Ｗの寸法の略矩形状のものを用いたが、本発明は特にこれに限定されるものではない。
【００６１】
本実施形態のカードコネクタが第１の実施形態のカードコネクタ３０と異なる点は、トレー部７０の第１、第２の壁部５３，５４の他端部側に設けたストッパー部Ｓに薄肉部を設ける替わりに、ＳＩＭカード８０の、ストッパー部Ｓと対向する他端部側に、凹状の段部８１を設けることで、トレー部７０とＳＩＭカード８０との間に隙間ｄを形成している点である。なお、同図中、符号７１は凹部を示す。  
【００６２】
従って、本実施形態によれば、トレー部７０の他端部とＳＩＭカード８０との間に隙間を形成することができる。このため、トレー部７０をハウジング部から引き出してきた時に、第１の実施形態と同様に、ＳＩＭカード６０とともにトレー部５０を一緒に持ち上げることなく、ＳＩＭカード６０だけを容易に取出すことができる。  
【００６３】
なお、本実施形態の構成以外に、例えば第１の実施形態での変形例である図８（Ａ）の関係を、トレー部とＳＩＭカードで互いに入れ替えた構成としてもよい。即ち、図１１に示すように、トレー部７０の他端部側でのストッパー部Ｓに対向するＳＩＭカード９０において、トレー部７０の凹部７１の外側に向かって凸部９０Ｐ１、９０Ｐ２が形成されているものであってもよい。なお、ここでも、凸部の数は１個でも２個以上でもよい。また、２個以上の場合、凹部７１の外側へ向かう突出量は同じであっても異なっていてもよい。  
【００６４】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【産業上の利用可能性】
【００６５】
本発明の構成によれば、トレー部が引き出される側の端部である他端部でのトレー部とカードとの間には隙間が形成されている。この他端部でトレー部とカードとは当接していないので、トレー部を一緒に持ち上げることなくカードだけを容易に取出すことができ、カードを取り出す操作の操作性が向上する。
【符号の説明】
【００６６】
１０  携帯電話機（電子機器）
１１  ケース
１２  電池室
２０  回路基板
２２  サブ基板（基板）
３０  カードコネクタ
４０  ハウジング部
４１  接続端子
４２  丸孔
５０、７０  トレー部
５０Ｐ１、５０Ｐ２  凸部
５１  底部
５２  裏面部
５３  第１の壁部
５４  第２の壁部
５５  開口部（貫通部）
５６、７１  凹部
５７  裏面側段差部
６０、８０、９０  ＳＩＭ（ＵＩＭ）カード
９０Ｐ１、９０Ｐ２  凸部
１１１  （カード）取り出し口
ｄ  隙間
Δ  隙間
ｔ１  第１の厚み
ｔ２  第２の厚み
Ｌ  （ストッパー部における）薄肉部の形成長さ
Ｓ  ストッパー部
Ｓ１、Ｓ２  底部側段部
Ｓ３、Ｓ４  ハウジング部と向かい合う面
ＳＬ  斜面
Ｗ１  第１の幅（他端部側での幅）
Ｗ２  第２の幅（一端部側での幅）
【図１】
2011142102.tif 000003
【図２】
2011142102.tif 000004
【図３】
2011142102.tif 000005
【図４】
2011142102.tif 000006
【図５】
2011142102.tif 000007
【図６】
2011142102.tif 000008
【図７】
2011142102.tif 000009
【図８】
2011142102.tif 000010
【図９】
2011142102.tif 000011
【図１０】
2011142102.tif 000012
【図１１】
2011142102.tif 000013
【図１２】
2011142102.tif 000014
【図１３】
2011142102.tif 000015
【図１４】
2011142102.tif 000016
【図１５】
2011142102.tif 000017
【図１６】
2011142102.tif 000018